(57)【要約】【課題】冷熱空調機器での異常発生を漏れなく取り込める冷熱遠隔監視システムを提供する。【解決手段】冷熱遠隔監視システムは、冷凍空調機器の状態データを取り込むデータ収集装置と上記データ収集装置に対して無線通信によりデータを要求して上記状態データを周期的に吸い上げる管理装置とを備える冷熱遠隔監視システムにおいて、上記データ収集装置は、上記冷凍空調機器が異常のとき閉鎖する接点の開閉状況に従って２値の間で変化する状況フラグおよび上記接点が閉鎖したとき一方の値に変化し、上記管理装置にデータを送信したとき他方の値に変化する状況変化フラグの値を上記管理装置からのデータ要求に応答して送信し、上記管理装置は、少なくとも上記状況フラグの値が上記接点が閉鎖したときに対応する値または上記状況変化フラグの値が上記一方の値のいずれか一方のとき上記冷凍空調機器が異常と判断する。【選択図】図１
2008252617.tif 000002
【特許請求の範囲】
【請求項１】
冷凍空調機器の状態データを取り込むデータ収集装置と上記データ収集装置に対して無線通信によりデータを要求して上記状態データを周期的に吸い上げる管理装置とを備える冷熱遠隔監視システムにおいて、
上記データ収集装置は、上記冷凍空調機器が異常のとき閉鎖する接点の開閉状況に従って２値の間で変化する状況フラグおよび上記接点が閉鎖したとき一方の値に変化し、上記管理装置にデータを送信したとき他方の値に変化する状況変化フラグの値を上記管理装置からのデータ要求に応答して送信し、
上記管理装置は、少なくとも上記状況フラグの値が上記接点が閉鎖したときに対応する値または上記状況変化フラグの値が上記一方の値のいずれか一方のとき上記冷凍空調機器が異常と判断することを特徴とする冷熱遠隔監視システム。
【請求項２】
冷凍空調機器の状態データを取り込むデータ収集装置と上記データ収集装置に対して無線通信によりデータを要求して上記状態データを周期的に吸い上げる管理装置とを備える冷熱遠隔監視システムにおいて、
上記データ収集装置は、上記冷凍空調機器が異常のとき閉鎖する接点の開閉状況に従って２値の間で変化する状況フラグおよび上記接点が閉鎖したとき一方の値に変化し、上記管理装置にデータを送信したとき他方の値に変化する状況変化フラグの値を上記管理装置からのデータ要求に応答して送信し、
上記管理装置は、上記状況フラグの値が上記接点が閉鎖したときに対応する値および上記状況変化フラグの値が上記他方の値のとき、または上記状況フラグの値が上記接点が開放したときに対応する値および上記状況変化フラグの値が上記一方の値のとき上記冷凍空調機器が異常と判断することを特徴とする冷熱遠隔監視システム。
【発明の詳細な説明】
【技術分野】
【０００１】
この発明は、冷凍空調機器を遠隔にて監視する冷熱遠隔監視システムに関するものである。
【背景技術】
【０００２】
現在の冷熱遠隔監視システムは、冷凍空調機器のデータを集積し演算・加工を行う管理装置と、冷凍空調機器の温度、圧力、異常信号などを各センサにより取り込み、Ａ／Ｄ変換後に無線通信で管理装置にデジタルデータとして送信するＡ／Ｄ変換装置とを備える。
無線通信においては、稀に周囲環境の影響により一時的に電波状態が悪化し、数分程度の間通信が途切れることがある。
管理装置は、所定の周期でＡ／Ｄ変換装置にデータの送信を要求し、Ａ／Ｄ変換装置からのデータを受信するが、通信が途切れた場合、多発報を防ぐために、すぐに通信異常としては検知せず、所定のマスク時間が経過しても復帰しない場合に通信異常として検知する。
また、冷凍空調機器の異常の検知でも、異常とみなされるデータが取り込まれた場合、誤検知を防止するために、すぐに異常と検知せず、所定のマスク時間が経過しても異常とみなされるデータが取り込まれた場合に異常と検知する。
【０００３】
【特許文献１】特開２００５−３１５４６６号公報
【発明の開示】
【発明が解決しようとする課題】
【０００４】
しかし、管理装置が通信異常のためにＡ／Ｄ変換装置からデータの取り込みを行っていない最中に、冷凍空調機器の本体の異常が一旦発生した後で復旧した場合、通信が正常に復帰後、Ａ／Ｄ変換装置から送信される異常信号のデータは既に異常無しのデータに変わっており、管理装置が冷凍空調機器での異常発生を見逃すという問題がある。
【０００５】
この発明の目的は、冷熱空調機器での異常発生を漏れなく取り込める冷熱遠隔監視システムを提供することである。
【課題を解決するための手段】
【０００６】
この発明に係る冷熱遠隔監視システムは、冷凍空調機器の状態データを取り込むデータ収集装置と上記データ収集装置に対して無線通信によりデータを要求して上記状態データを周期的に吸い上げる管理装置とを備える冷熱遠隔監視システムにおいて、上記データ収集装置は、上記冷凍空調機器が異常のとき閉鎖する接点の開閉状況に従って２値の間で変化する状況フラグおよび上記接点が閉鎖したとき一方の値に変化し、上記管理装置にデータを送信したとき他方の値に変化する状況変化フラグの値を上記管理装置からのデータ要求に応答して送信し、上記管理装置は、少なくとも上記状況フラグの値が上記接点が閉鎖したときに対応する値または上記状況変化フラグの値が上記一方の値のいずれか一方のとき上記冷凍空調機器が異常と判断する。
【発明の効果】
【０００７】
この発明に係る冷熱遠隔監視システムの効果は、状況変化フラグの設定がレスポンス信号の発生により「１」から「０」に変化するので、無線通信ができずにレスポンス信号が発生しないと状況変化フラグの設定が保存され、電波状態が悪く無線通信ができない間に発生し復旧した異常でも検知することができることである。
【発明を実施するための最良の形態】
【０００８】
実施の形態１．
図１は、この発明に係る実施の形態１による冷熱遠隔監視システムの構成を示す構成図である。
この発明に係る実施の形態１による冷熱遠隔監視システムは、色々な位置に置かれている複数の冷凍機器または空調機器（以下、冷凍空調機器と称す）１を監視センタにて一元的に監視するときに用いられる。なお、以下の説明では理解し易くするために１つの冷凍空調機器１を監視するときについて説明する。
冷凍空調機器１には、その状態を監視するための温度センサ、圧力センサなどからなる状態センサが備えられている。また、冷凍空調機器１には、自身が異常のとき閉じる接点２が備えられている。
【０００９】
この発明に係る実施の形態１による冷熱遠隔監視システムは、冷凍空調機器１に付帯されるデータ収集装置４、データ収集装置４からのデータを取り込み、冷凍空調機器１の状態を判断する管理装置５、管理装置５とネットワーク６を介して通信を行う監視センタに備えられた監視サーバ７から構成されている。
データ収集装置４と管理装置５とは、無線ＬＡＮを介して通信が行われる。管理装置５には無線ＬＡＮを構成するアクセスポイント８が接続され、データ収集装置４には無線ＬＡＮを構成する無線ＬＡＮカード９が設けられ、アクセスポイント８と無線ＬＡＮカード９との間で無線通信が行われる。
【００１０】
データ収集装置４は、冷凍空調機器１の状態センサからのアナログの状態データをデジタルの状態データに変換するＡ／Ｄ変換部１１、接点２の開閉状況および変化に基づいて冷凍空調機器１の状況データを求める状況検知部１２、管理装置５からのデータの要求、すなわちリクエストメッセージの送信に対応してレスポンスメッセージ、すなわち状態データおよび状況データを応答する無線ＬＡＮカード９を備える。
無線ＬＡＮカード９は、レスポンスメッセージを送信したときレスポンス信号を発する。
【００１１】
冷凍空調機器１の異常は、データ収集装置４により接点２の開閉状況を取り込む。そして、状況検知部１２は、接点２の開閉状況に従って状況フラグを設定するとともに、状況フラグの変化およびレスポンス信号に従って状況変化フラグを設定する。
状況フラグには、接点２が開放しているとき値「０」、接点２が閉鎖しているとき値「１」が設定される。すなわち、冷凍空調機器１が正常なとき値「０」、冷凍空調機器１が異常なとき値「１」が設定されている。
状況変化フラグは、状況フラグの設定が値「０」から値「１」に変化したとき、値「１」が設定され、レスポンス信号が発せられたとき、値「０」が設定される。
【００１２】
管理装置５は、冷凍空調機器１に対してポーリングして定期的にデータの要求をするとともに冷凍空調機器１からの状態データおよび状況データを受信する無線通信部１５、無線通信部１５が受信した状況データを分析して冷凍空調機器１の異常を検知する異常検知部１６、状態データおよび異常の発生状況を所定の期間分、例えば２４時間分格納するデータ格納部１７、監視サーバ７からのポーリングに応答してデータ格納部１７に格納されている日報作成用データを監視サーバ７に送信するネットワーク通信部１８を有する。
【００１３】
異常検知部１６は、データ収集装置４から受信した状況フラグおよび状況変化フラグの設定を判断条件に従って分析して異常の発生の有無を検知する。判断条件は、図２に示すように、状況フラグと状況変化フラグの設定がともに「０」のとき正常、それ以外のとき異常とする。
【００１４】
監視サーバ７は、管理装置５において格納された日報作成用データを１日１回の割合で自動ポーリングすることによりネットワーク６を経由して収集し、監視サーバ７のデータベースに格納する。
【００１５】
次に、データ収集装置４と管理装置５との間の電波の状態が良好で無線通信が可能なときに接点２が一旦閉鎖し、その後開放した場合の状況フラグおよび状況変化フラグの変化を図３を参照して説明する。
管理装置５は、時点ｔ１でアクセスポイント８における電界強度を計測し電波状態が良好と判断しデータ収集装置４にリクエストメッセージを送信する。データ収集装置４は、時点ｔ２で冷凍空調機器１の状態データ、状況フラグの設定「０」および状況変化フラグの設定「０」を管理装置５に送る。管理装置５は、状況フラグの設定「０」および状況変化フラグの設定「０」から冷凍空調機器１が正常と判断する。
時点ｔ１から所定の周期経過する時点ｔ４の間の時点ｔ３で、冷凍空調機器１の接点２が閉鎖したので、状況フラグの設定が「１」に変化し、状況変化フラグの設定も「１」に変化する。
管理装置５は、時点ｔ４でアクセスポイント８における電界強度を計測し電波状態が良好と判断しデータ収集装置４にリクエストメッセージを送信する。そして、データ収集装置４は、時点ｔ５で冷凍空調機器１の状態データ、状況フラグの設定「１」および状況変化フラグの設定「１」を管理装置５に送る。管理装置５は、状況フラグの設定「１」および状況変化フラグの設定「１」から冷凍空調機器１が異常と判断する。
【００１６】
時点ｔ４から所定の周期経過する時点ｔ７の間では接点２は閉鎖したままであるので状況フラグの設定は「１」のままであるが、状況変化フラグの設定は、レスポンス信号に従って時点ｔ６で「１」から「０」に変化する。
管理装置５は、時点ｔ７でアクセスポイント８における電界強度を計測し電波状態が良好と判断しデータ収集装置４にリクエストメッセージを送信する。そして、データ収集装置４は、時点ｔ８で冷凍空調機器１の状態データ、状況フラグの設定「１」および状況変化フラグの設定「０」を管理装置５に送る。管理装置５は、状況フラグの設定「１」および状況変化フラグの設定「０」から冷凍空調機器１が異常と判断する。
【００１７】
時点ｔ７から所定の周期経過する時点ｔ９の間では接点２が閉鎖したままであるので状況フラグの設定は「１」のままであり、状況変化フラグの設定も「０」のままである。
管理装置５は、時点ｔ９でアクセスポイント８における電界強度を計測し電波状態が良好と判断しデータ収集装置４にリクエストメッセージを送信する。そして、データ収集装置４は、時点ｔ１０で冷凍空調機器１の状態データ、状況フラグの設定「１」および状況変化フラグの設定「０」を管理装置５に送る。管理装置５は、状況フラグの設定「１」および状況変化フラグの設定「０」から冷凍空調機器１が異常と判断する。
【００１８】
時点ｔ９から所定の周期経過する時点ｔ１２の間の時点ｔ１１で、冷凍空調機器１の接点２が開放したので、状況フラグの設定が「０」に変化し、状況変化フラグの設定が「０」のままである。
管理装置５は、時点ｔ１２でアクセスポイント８における電界強度を計測し電波状態が良好と判断しデータ収集装置４にリクエストメッセージを送信する。そして、データ収集装置４は、時点ｔ１３で冷凍空調機器１の状態データ、状況フラグの設定「０」および状況変化フラグの設定「０」を管理装置５に送る。管理装置５は、状況フラグの設定「０」および状況変化フラグの設定「０」から冷凍空調機器１が正常と判断する。
【００１９】
このように電波状態が良好で所定の周期で管理装置５がデータ収集装置４から状態データ、状況フラグの設定および状況変化フラグの設定を取り込むことにより、冷凍空調機器１の異常を検知することができる。
【００２０】
次に、データ収集装置４と管理装置５との間の電波の状態が良い状態から悪い状態に変化し、一旦無線通信が行えない間に接点２が一旦閉鎖し、その後開放した場合の状況フラグと状況変化フラグの変化を図４を参照して説明する。
管理装置５は、時点ｔ２１でアクセスポイント８における電界強度を計測し電波状態が良好と判断しデータ収集装置４にリクエストメッセージを送信する。データ収集装置４は、時点ｔ２２で冷凍空調機器１の状態データ、状況フラグの設定「０」および状況変化フラグの設定「０」を管理装置５に送る。管理装置５は、状況フラグの設定「０」および状況変化フラグの設定「０」から冷凍空調機器１が正常と判断する。
【００２１】
冷凍空調機器１の接点２が時点ｔ２３で閉鎖したので、状況フラグの設定が「１」に変化し、状況変化フラグの設定も「１」に変化する。
管理装置５は所定の周期でリクエストメッセージを送信しようとするが電波状態が悪いのでリクエストメッセージの送信も行われないし、レスポンスメッセージの応答も行われない。そこで、レスポンス信号が発せられないので、状況変化フラグの設定は「１」のままである。
そして、冷凍空調機器１の接点２が時点ｔ２４で開放したので、状況フラグの設定が「１」から「０」に変化するが、状況変化フラグの設定は「１」のままである。
管理装置５は、時点ｔ２５でアクセスポイント８における電界強度を計測し電波状態が回復したと判断しデータ収集装置４にリクエストメッセージを送信する。データ収集装置４は、時点ｔ２６で冷凍空調機器１の状態データ、状況フラグの設定「０」および状況変化フラグの設定「１」を管理装置に送る。管理装置５は、状況フラグの設定「０」および状況変化フラグの設定「１」から冷凍空調機器１が異常と判断する。
【００２２】
このときレスポンス信号が発せられ、時点ｔ２７で状況変化フラグの設定が「１」から「０」に変化する。
その後、管理装置５は、時点ｔ２５から所定の周期経過する時点ｔ２８でデータ収集装置４にリクエストメッセージを送信する。データ収集装置４は、時点ｔ２９で冷凍空調機器１の状態データ、状況フラグの設定「０」および状況変化フラグの設定「０」を管理装置５に送る。管理装置５は、状況フラグの設定「０」および状況変化フラグの設定「０」から冷凍空調機器１が正常と判断する。
【００２３】
このように状況変化フラグの設定がレスポンス信号の発生により「１」から「０」に変化するので、無線通信ができずにレスポンス信号が発生しないと状況変化フラグの設定が保存される。そのため、電波状態が悪く無線通信ができない間に発生し復旧した異常でも検知することができる。
【００２４】
次に、電波状態は良好であるが、接点２の開閉が所定の周期以内に終了してしまう短い異常が発生したときの状況フラグと状況変化フラグの変化を図５参照して説明する。
管理装置５は、時点ｔ３１でアクセスポイント８における電界強度を計測し電波状態が良好と判断しデータ収集装置４にリクエストメッセージを送信する。データ収集装置４は、時点ｔ３２で冷凍空調機器１の状態データ、状況フラグの設定「０」および状況変化フラグの設定「０」を管理装置５に送る。管理装置５は、状況フラグの設定「０」および状況変化フラグの設定「０」から冷凍空調機器１が正常と判断する。
時点ｔ３１から所定の周期経過する時点ｔ３５の間の時点ｔ３３で、冷凍空調機器１の接点２が閉鎖したので、状況フラグの設定が「１」に変化し、状況変化フラグの設定も「１」に変化する。
さらに、時点ｔ３５の手前の時点ｔ３４で、冷凍空調機器１の接点２が開放したので、状況フラグの設定が「０」に変化する。しかし、レスポンス信号が発生していないので状況変化フラグの設定は「１」に維持されている。
管理装置５は、時点ｔ３５でアクセスポイント８における電界強度を計測し電波状態が良好と判断しデータ収集装置４にリクエストメッセージを送信する。そして、データ収集装置４は、時点ｔ３６で冷凍空調機器１の状態データ、状況フラグの設定「０」および状況変化フラグの設定「１」を管理装置５に送る。管理装置５は、状況フラグの設定「０」および状況変化フラグの設定「１」から冷凍空調機器１が異常と判断する。
【００２５】
時点ｔ３７で、状況変化フラグの設定が「１」から「０」に変化する。
管理装置５は、時点ｔ３８でアクセスポイント８における電界強度を計測し電波状態が良好と判断しデータ収集装置４にリクエストメッセージを送信する。そして、データ収集装置４は、時点ｔ３９で冷凍空調機器１の状態データ、状況フラグの設定「０」および状況変化フラグの設定「０」を管理装置５に送る。管理装置５は、状況フラグの設定「０」および状況変化フラグの設定「０」から冷凍空調機器１が正常と判断する。
これ以降は時点ｔ３８と同様である。
【００２６】
このように状況変化フラグの設定がレスポンス信号の発生により「１」から「０」に変化するので、所定の周期が経過するまで状況変化フラグの設定が変化しない。そのため、冷凍空調機器１で発生した所定の周期より短い間の異常は、次のレスポンスメッセージには反映されるので、検知することができる。
【００２７】
実施の形態２．
図６は、この発明に係る実施の形態２による冷熱遠隔監視システムの構成を示す構成図である。
この発明に係る実施の形態２による冷熱遠隔監視システムは、実施の形態１による冷熱遠隔監視システムと管理装置５Ｂの異常検知部１６Ｂが異なり、それ以外は同様であるので、同様な部分に同じ符号を付記し説明は省略する。
異常検知部１６Ｂは、データ収集装置４から受信した状況フラグおよび状況変化フラグの設定を判断条件に従って分析して異常の発生の有無を検知する。判断条件は、図７に示すように、状況フラグと状況変化フラグの設定の一方が「０」で他方が「１」のとき異常と判断する。
【００２８】
図３と図８に示したように接点２が開閉するときの異常の発生を検知する様子を説明する。
図３の時点ｔ１で、管理装置５は、状況フラグの設定「０」および状況変化フラグの設定「０」から冷凍空調機器１が正常と判断する。
図３の時点ｔ４で、管理装置５は、状況フラグの設定「１」および状況変化フラグの設定「１」から冷凍空調機器１が正常と判断する。
図３の時点ｔ７で、管理装置５は、状況フラグの設定「１」および状況変化フラグの設定「０」から冷凍空調機器１が異常と判断する。
図３の時点ｔ９で、管理装置５は、状況フラグの設定「１」および状況変化フラグの設定「０」から冷凍空調機器１が異常と判断する。
図３の時点ｔ１２で、管理装置５は、状況フラグの設定「０」および状況変化フラグの設定「０」から冷凍空調機器１が正常と判断する。
【００２９】
図８の時点ｔ５１で、管理装置５は、状況フラグの設定「０」および状況変化フラグの設定「０」から冷凍空調機器１が正常と判断する。
図８の時点ｔ５４で、管理装置５は、状況フラグの設定「１」および状況変化フラグの設定「１」から冷凍空調機器１が正常と判断する。
図８の時点ｔ５８で、管理装置５は、状況フラグの設定「０」および状況変化フラグの設定「０」から冷凍空調機器１が正常と判断する。
図８の時点ｔ６０で、管理装置５は、状況フラグの設定「０」および状況変化フラグの設定「０」から冷凍空調機器１が正常と判断する。
図８の時点ｔ６２で、管理装置５は、状況フラグの設定「０」および状況変化フラグの設定「０」から冷凍空調機器１が正常と判断する。
【００３０】
このように状況フラグの設定と状況変化フラグがともに「０」または「１」のとき正常と判断するので、状況変化フラグの設定が変化するまでに回復する異常の検知をマスクすることができる。このようにマスク時間を設けることにより、接点２の誤動作などの影響を排除することができる。
なお、実施の形態２による冷熱遠隔監視システムでは、状況変化フラグの設定を１回の対応が完了した時点で変化させているが、カウンタを備えて複数回の応答が完了した時点で変化させても良い。このようにすると、マスクする時間を長くすることができ、接点の誤動作などの影響をより完全に排除することができる。
【図面の簡単な説明】
【００３１】
【図１】この発明に係る実施の形態１による冷熱遠隔監視システムの構成を示す構成図である。
【図２】この発明に係る実施の形態１による管理装置が異常の判断に用いる判断基準である。
【図３】この発明に係る実施の形態１による冷熱遠隔監視システムの動作に関するタイミングチャートの一例である。
【図４】この発明に係る実施の形態１による冷熱遠隔監視システムの動作に関するタイミングチャートの他の例である。
【図５】この発明に係る実施の形態１による冷熱遠隔監視システムの動作に関するタイミングチャートの他の例である。
【図６】この発明に係る実施の形態２による冷熱遠隔監視システムの構成を示す構成図である。
【図７】この発明に係る実施の形態２による管理装置が異常の判断に用いる判断基準である。
【図８】この発明に係る実施の形態２による冷熱遠隔監視システムの動作に関するタイミングチャートの一例である。
【符号の説明】
【００３２】
１  冷凍空調機器、２  接点、４  データ収集装置、５、５Ｂ  管理装置、６  ネットワーク、７  監視サーバ、８  アクセスポイント、９  無線ＬＡＮカード、１１  Ａ／Ｄ変換部、１２  状況検知部、１５  無線通信部、１６、１６Ｂ  異常検知部、１７  データ格納部、１８  ネットワーク通信部。
【図１】
2008252617.tif 000003
【図２】
2008252617.tif 000004
【図３】
2008252617.tif 000005
【図４】
2008252617.tif 000006
【図５】
2008252617.tif 000007
【図６】
2008252617.tif 000008
【図７】
2008252617.tif 000009
【図８】
2008252617.tif 000010